(57)【要約】【課題】電気掃除機を用いた掃除動作によって被掃除面の掃除とともに、塵埃分離手段に付着した塵埃を除去できる電気掃除機を提案する。【解決手段】電気掃除機１の掃除機本体２は、接続口２ａが設けられた接続管部１１と、接続管部１１に連通されたクラスタ分離室１２の第１の分離室１３と、第１の分離室１３に連通された電動送風機９と、電動送風機９の排気が吐出される排気風路１４と、排気風路１４に連通されたクラスタ分離室１２の第２の分離室１５と、第２の分離室１５に連通された集塵部１７と、第１の分離室１３と第２の分離室１５との位置を切り換える切換機構１８とを備える。【選択図】  図２
2009226132.tif 000002
【特許請求の範囲】
【請求項１】
吸込口体に連通される接続口が設けられた接続管部と、
前記接続管部に連通された分離室と、
前記分離室に連通された電動送風機と、
前記電動送風機の排気が吐出される排気風路と、
前記排気風路に連通された他の分離室と、
前記他の分離室に連通された集塵部と、
前記分離室と前記他の分離室の配置を切り換える切換機構とを備えたことを特徴とする電気掃除機。
【請求項２】
前記分離室および前記他の分離室は、
ネットフィルタおよびプリーツフィルタからなる塵埃分離手段を備えたことを特徴とする請求項１に記載の電気掃除機。
【請求項３】
前記他の分離室の前記ネットフィルタの上流側と下流側とを連通させるバイパス管を備えたことを特徴とする請求項２に記載の電気掃除機。
【請求項４】
前記他の分離室の前記プリーツフィルタに蓄積された塵埃を払う除塵機構を有することを特徴とする請求項２または３に記載の電気掃除機。
【請求項５】
前記電気掃除機の内部が正圧の状態であれば、前記切換機構によって前記分離室と前記他の分離室の配置を切り換えることを特徴とする請求項１から４のいずれか１項に記載の電気掃除機。
【請求項６】
前記分離室または前記他の分離室が複数設けられたことを特徴とする請求項１から５のいずれか１項に記載の電気掃除機。
【発明の詳細な説明】
【技術分野】
【０００１】
本発明は、吸い込まれた含塵空気から塵埃を分離する分離室を複数有する電気掃除機に関する。
【背景技術】
【０００２】
従来の電気掃除機は、一般に電動送風機が収容された掃除機本体と、掃除機本体に連通された集塵ホースと、集塵ホースに連通された手元操作管と、手元操作管に連通された延長管と、延長管に連通された吸込口体とを備える。吸込口体には被清掃面に対向させた吸込開口が形成される。
【０００３】
従来の電気掃除機を運転すると、電動送風機の作動によって掃除機本体内には負圧が発生する。この負圧は集塵ホースと手元操作管と延長管とを介して吸込口体に作用する。そうすると、電気掃除機は吸込口体の吸込開口から床などの被掃除面に溜まった塵埃を空気とともに吸い込んで被掃除面を掃除する。吸込口体に吸い込まれた含塵空気は、掃除機本体に内装された高速分離方式あるいはフィルタなどの塵埃分離手段によって空気と塵埃とに分離される。
【０００４】
含塵空気から分離された塵埃は、集塵室に案内されて蓄積される。他方、塵埃が分離された清浄な空気は、電動送風機に吸い込まれて昇圧され、掃除機本体の排気口から吐出される。
【０００５】
ここで、含塵空気から塵埃を濾過分離する塵埃分離手段には塵埃が付着する。特に含塵空気から細塵を濾過分離するプリーツフィルタなどの目の細かいフィルタには、細塵が付着して残留する。
【０００６】
そこで、特許文献１に記載の電気掃除機では、その停止動作に連続させてプリーツフィルタの塵埃濾過面に空気の流れを発生させて、プリーツフィルタに付着した細塵を除去する。
【特許文献１】特開２００８−４８９９３号公報
【発明の開示】
【発明が解決しようとする課題】
【０００７】
しかしながら、特許文献１に記載の従来の電気掃除機では、電気掃除機の停止動作に連続させてプリーツフィルタの塵埃濾過面に空気を流し続けると、電気掃除機の使用者が電気掃除機の故障を錯覚する虞があり、プリーツフィルタの塵埃濾過面に流すことができる空気の量を大量に確保することは難しい。そうすると、プリーツフィルタの塵埃濾過面に付着した細塵を十分に除去することは困難になる。
【０００８】
また、プリーツフィルタの他に電気掃除機に設けられた塵埃分離手段に付着した塵埃を除去するためには、それぞれの塵埃分離手段を個別に清掃する必要がある。
【０００９】
本発明は、電気掃除機を用いた掃除動作によって被掃除面の掃除とともに、塵埃分離手段に付着した塵埃を除去できる電気掃除機を提案する。
【課題を解決するための手段】
【００１０】
前記の課題を解決するため本発明では、吸込口体に連通される接続口が設けられた接続管部と、前記接続管部に連通された分離室と、前記分離室に連通された電動送風機と、前記電動送風機の排気が吐出される排気風路と、前記排気風路に連通された他の分離室と、前記他の分離室に連通された集塵部と、前記分離室と前記他の分離室の配置を切り換える切換機構とを備えたことを特徴とする。
【発明の効果】
【００１１】
本発明によれば、電気掃除機を用いた掃除動作によって被掃除面の掃除とともに、塵埃分離手段に付着した塵埃を除去できる電気掃除機を提案できる。
【発明を実施するための最良の形態】
【００１２】
本発明に係る電気掃除機の実施の形態について図１から図３を参照して説明する。
【００１３】
図１は、本発明に係る電気掃除機の外観を示した図である。
【００１４】
図１に示すように、本実施形態に係る電気掃除機１は、掃除機本体２と、掃除機本体２に設けられた接続口２ａに一端が着脱白在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００１５】
手元操作管４には操作部４ａが設けられる。操作部４ａは電気掃除機１の運転を停止させる切スイッチ４ｂや電気掃除機１の運転を開始させる起動スイッチ４ｃなどを有する。
【００１６】
吸込口体６の下面には、被清掃面に対向させた吸込開口（図示省略）が形成される。この吸込開口は、吸込口体６内部に形成された吸込室（図示省略）に連通される。この吸込開口は延長管５と手元操作管４と集塵ホース３とを介して接続口２ａから掃除機本体２内へ連通される。
【００１７】
掃除機本体２には接続口２ａを介して吸込口体６に負圧を作用させる電動送風機９とが収容される。また掃除機本体２には電動送風機９の排気を吐出させる本体排気口（図示省略）が形成される。
【００１８】
電気掃除機１を運転すると、電動送風機９の作動によって掃除機本体２内には負圧が作用する。この負圧は接続口２ａから集塵ホース３と手元操作管４と延長管５とを介して吸込口体６に作用する。そうすると電気掃除機１は吸込口体６の吸込開口からから空気とともに床などの被掃除面に溜まった塵埃を吸い込んで被掃除面を掃除する。
【００１９】
図２は、本発明に係る電気掃除機の掃除機本体の概略的な断面図である。
【００２０】
なお、図２に示す実線矢は空気の流れの方向である。
【００２１】
図２に示すように、掃除機本体２は、接続口２ａが設けられた接続管部１１と、接続管部１１に連通されたクラスタ分離室１２の第１の分離室１３と、第１の分離室１３に連通された電動送風機９と、電動送風機９の排気が吐出される排気風路１４と、排気風路１４に連通されたクラスタ分離室１２の第２の分離室１５と、第２の分離室１５に蓄積された塵埃を払う除塵機構１６と、第２の分離室１５に連通された集塵部１７と、第１の分離室１３と第２の分離室１５との位置を切り換える切換機構１８とを備える。
【００２２】
図２に示すように、掃除機本体２は、接続口２ａが設けられた接続管部１１と、接続管部１１に連通されたクラスタ分離室１２の第１の分離室１３と、第１の分離室１３に連通された電動送風機９と、電動送風機９の排気が吐出される排気風路１４と、排気風路１４に連通されたクラスタ分離室１２の第２の分離室１５と、第２の分離室１５に蓄積された塵埃を払う除塵機構１６と、第２の分離室１５に連通された集塵部１７と、クラスタ分離室１２の切換機構１８とを備える。
【００２３】
クラスタ分離室１２は、少なくとも２つの分離室を備え、本実施形態では第１の分離室１３と、第２の分離室１５とを備える。クラスタ分離室１２は、切換機構１８によって分離室の位置が変更される。具体的には電動送風機９の上流に配設される第１の分離室１３と、電動送風機９の下流に配設される第２の分離室１５との位置が切り換えられると、第２の分離室１５が電動送風機９の上流に配設され、第１の分離室１３が電動送風機９の下流に配設される。例えば、クラスタ分離室１２は円筒形状に形成され、第１の分離室１３および第２の分離室１５はクラスタ分離室１２の中心を通る共通隔壁によって区画形成される。すなわち、第１の分離室１３および第２の分離室１５は半円筒形状に区画形成される。また、例えば、クラスタ分離室１２は円筒形状に形成され、３室以上の分離室を周方向に略等分に区画形成される。
【００２４】
なお、第１の分離室１３または第２の分離室１５が電動送風機９の上流に配設された場合の位置を集塵位置と呼び、第１の分離室１３または第２の分離室１５が電動送風機９の下流に配設された場合の位置を除塵位置と呼ぶ。
【００２５】
クラスタ分離室１２に３室以上の分離室が設けられたときは、いずれか１室以上の分離室が集塵位置に配設され、他の集塵室を除塵位置に配設することもできる。
【００２６】
第１の分離室１３は、含塵空気から塵埃を濾過分離させる第１の塵埃分離手段１９を備え、第２の分離室１５は、含塵空気から塵埃を濾過分離させる第２の塵埃分離手段２１を備える。第１の塵埃分離手段１９および第２の塵埃分離手段２１は、ネットフィルタ部２２と、プリーツフィルタ部２４とから構成される。第１の分離室１３または第２の分離室１５が集塵位置に配設されると、ネットフィルタ部２２は含塵空気の流れの上流に配設され、他方、プリーツフィルタ部２４はネットフィルタ部２２の下流に配設される。また、第１の分離室１３または第２の分離室１５が除塵位置に配設されると、プリーツフィルタ部２４は電動送風機９の排気の流れの上流に配設され、他方、ネットフィルタ部２２はプリーツフィルタ部２４の下流に配設される。第１の分離室１３と第２の分離室１５とは、それぞれのネットフィルタ部２２の上流と下流とに開口２６、２７を有する。集塵位置に配設された第１の分離室１３の開口２６、２７からなる第１の細塵風路部２８は閉塞板２９によって塞がれ、除塵位置に配設された第２の分離室１５の開口２６、２７からなる第２の細塵風路部３１はバイパス管３０によって連通される。
【００２７】
また、クラスタ分離室１２は、第１の分離室１３および第２の分離室１５に設けられたネットフィルタ部２２を臨む第１の隔壁３２と、第１の分離室１３および第２の分離室１５に設けられたプリーツフィルタ部２４を臨む第２の隔壁３３に挟まれる。第１の隔壁３２および第２の隔壁３３によって第１の分離室１３および第２の分離室１５が区画形成される。
【００２８】
接続管部１１の一端には集塵ホース３が接続される接続口２ａが設けられる。接続管部１１によって吸込口体６から吸い込まれた含塵空気はクラスタ分離室１２に案内される。接続管部１１の他端は、第１の隔壁３２のうち第１の分離室１３の上流側に位置された区画壁３２ａに形成された集塵位置上流開口３５に連通される。集塵位置上流開口３５は集塵位置に配設された分離室である第１の分離室１３に連通される。第２の隔壁３３のうち第１の分離室１３の下流側に位置された区画壁３３ａには、集塵位置下流開口３６が形成される。
【００２９】
電動送風機９の吸込開口３７は、吸込管３８を介して第２の隔壁３３の集塵位置下流開口３６に連通される。電動送風機９の排気開口３９は排気風路１４に連通される。排気風路１４は、第２の隔壁３３のうち除塵位置に配設された分離室である第２の分離室１５の上流側に位置された区画壁３３ｂに形成された除塵位置上流開口４１に連通される。
【００３０】
すなわち、排気風路１４によって第１の分離室１３は電動送風機９の上流側に配設され、第２の分離室１５は電動送風機９の下流側に配設されて連通される。
【００３１】
第１の隔壁３２のうち第２の分離室１５の下流側に位置された区画壁３２ｂには、除塵位置下流開口４２が形成される。除塵位置下流開口４２は集塵部１７に連通される。
【００３２】
除塵機構１６は、第２の隔壁３３を隔てて第２の分離室１５のプリーツフィルタ部２４に対向させて配設される。除塵機構１６には除塵子４４が設けられ、第２の隔壁３３に形成された開口４５を介してプリーツフィルタ部２４に当接される。
【００３３】
集塵部１７は、第１の隔壁３２の除塵位置下流開口４２に連通された集塵室上流開口４７と、集塵部１７に流れ込む含塵空気から塵埃を濾過分離する集塵フィルタ４８と、集塵フィルタ４８が設けられた集塵室下流開口４９とを有し、分離された塵埃を蓄積する。
【００３４】
切換機構１８はクラスタ分離室１２に形成された従動ギヤ部５０に対応させた駆動ギヤ部５１からなる動力伝達機構５２と、動力伝達機構５２の駆動力を発生させるモータ部５３とを備える。例えばクラスタ分離室１２は円筒形状に形成され、第１の分離室１３および第２の分離室１５は半円筒形状に区画形成されている場合には、切換機構１８はクラスタ分離室１２の中心軸ｒの回りにクラスタ分離室１２を回動させて、第１の分離室１３と第２の分離室１５とをそれぞれ集塵位置と除塵位置とに切り換える。
【００３５】
次に、本実施形態に係る電気掃除機１の掃除動作を説明する。
【００３６】
先ず、電気掃除機１の使用者は、掃除機本体２の接続口２ａに集塵ホース３と手元操作管４と延長管５と吸込口体６とを順次に接続する。
【００３７】
次に、掃除機本体２から電源コード（図示省略）を引き出して商用電源を供給するコンセント（図示省略）に接続する。このとき、クラスタ分離室１２は、図２に示すように、第１の分離室１３が集塵位置に配設され、第２の分離室１５が除塵位置に配設される。
【００３８】
次に、手元操作管４を把持して操作部４ａの起動スイッチ４ｃを操作する。そうすると、電動送風機９は運転を開始する。電動送風機９は吸込開口３７から空気を吸い込み、掃除機本体２の吸込管３８と第１の分離室１３と接続管部１１とには順次に負圧が作用する。さらに掃除機本体２の接続口２ａを介して集塵ホース３と手元操作管４と延長管５と吸込口体６とにも順次に負圧が作用する。
【００３９】
次いで、使用者は手元操作管４を把持して床面などの被掃除面上で吸込口体６を前後に走行する。そうすると、被掃除面上に存する塵埃は空気とともに吸込口体６に吸い込まれる。
【００４０】
吸込口体６に吸い込まれた含塵空気は延長管５と手元操作管４と集塵ホース３とを順次に経て掃除機本体２に吸い込まれる。
【００４１】
掃除機本体２に吸い込まれた含塵空気は、接続管部１１を経て第１の分離室１３に吸い込まれる。第１の分離室１３に吸い込まれた含塵空気は、第１の塵埃分離手段１９によって塵埃と空気とに分離される。具体的には、含塵空気は、ネットフィルタ部２２によって粗塵Ａが分離され、プリーツフィルタ部２４によって細塵Ｂが分離される。したがって、含塵空気に含まれた塵埃は第１の分離室１３に集塵される。このとき粗塵Ａはネットフィルタ部２２によって集塵され、細塵Ｂはプリーツフィルタ部２４によって集塵される。
【００４２】
塵埃が分離された空気は、第１の分離室１３から第２の隔壁３３の集塵位置下流開口３６を介して吸込管３８を経て電動送風機９の吸込開口３７に吸い込まれる。電動送風機９に吸い込まれた空気は、電動送風機９の排気開口３９から排気風路１４に排気され、第２の隔壁３３の除塵位置上流開口４１を経て第２の分離室１５に流れ込む。
【００４３】
第２の分離室１５に流れ込んだ空気は、第２の塵埃分離手段２１を経て第１の隔壁３２の除塵位置下流開口４２に至り、集塵室上流開口４７から集塵部１７に流れ込む。集塵部１７に流れ込んだ空気は、集塵フィルタ４８を通って集塵室下流開口４９から排気され、さらに本体排気口を通って掃除機本体２から排気される。
【００４４】
被清掃面の掃除が終わると、使用者は手元操作管４の切スイッチ４ｂを操作する。そうすると、電動送風機９は運転を停止する。
【００４５】
電動送風機９の運転が停止して電気掃除機１に負圧が作用しなくなると、切換機構１８のモータ部５３が作動し、駆動ギヤ部５１が回動する。そうすると、切換機構１８は従動ギヤ部５０を介してクラスタ分離室１２の第１の分離室１３と第２の分離室１５との位置を変更する。具体的には集塵位置に配設される第１の分離室１３と、除塵位置に配設される第２の分離室１５との位置が切り換えられて、第２の分離室１５が集塵位置に配設され、第１の分離室１３が除塵位置に配設される。
【００４６】
図３は、本発明に係る電気掃除機の掃除機本体の概略的な断面図である。
【００４７】
なお、図３に示す実線矢は空気の流れの方向である。
【００４８】
図３に示すように、切換機構１８が作動するとクラスタ分離室１２の第１の分離室１３と第２の分離室１５との位置が切り換えられて、第２の分離室１５が集塵位置に配設され、第１の分離室１３が除塵位置に配設される。
【００４９】
そうすると、集塵位置に配設された第２の分離室１５の第２の細塵風路部３１は閉塞板２９によって塞がれ、除塵位置に配設された第１の分離室１３の第１の細塵風路部２８はバイパス管３０によって連通される。接続管部１１は、第１の隔壁３２のうち第２の分離室１５の上流側に位置された区画壁３２ａに形成された集塵位置上流開口３５を介して第２の分離室１５に連通される。第２の隔壁３３の区画壁３３ａに形成された集塵位置下流開口３６は、第２の分離室１５の下流側に位置される。第２の隔壁３３の区画壁３３ｂに形成された除塵位置上流開口４１は、第１の分離室１３の上流側に位置される。すなわち、排気風路１４によって第２の分離室１５は電動送風機９の上流側に、第１の分離室１３は電動送風機９の下流側に配設されて連通される。第１の隔壁３２の区画壁３２ｂに形成された除塵位置下流開口４２は、第１の分離室１３の下流側に位置される。除塵機構１６は、第２の隔壁３３を隔てて第１の分離室１３のプリーツフィルタ部２４に対向される。除塵機構１６の除塵子４４は、第１の分離室１３に設けられたプリーツフィルタ部２４に当接される。
【００５０】
次に、本実施形態に係る電気掃除機１を用いて掃除を再開した際の掃除動作を説明する。なお、電気掃除機１の動作について重複する説明は省略する。
【００５１】
使用者は操作部４ａの起動スイッチ４ｃを操作して新たにまたは継続して掃除を開始または再開する。そうすると、電動送風機９は運転を開始して吸込口体６に負圧が作用する。吸込口体６に吸い込まれた含塵空気は掃除機本体２に吸い込まれる。
【００５２】
掃除機本体２に吸い込まれた含塵空気は、接続管部１１を経て第２の分離室１５に吸い込まれる。第２の分離室１５に吸い込まれた含塵空気は、第２の塵埃分離手段２１によって塵埃と空気とに分離される。
【００５３】
塵埃が分離された空気は、第２の分離室１５から第２の隔壁３３の集塵位置下流開口３６を介して吸込管３８を経て電動送風機９の吸込開口３７に吸い込まれる。電動送風機９に吸い込まれた空気は、電動送風機９の排気開口３９から排気風路１４に排気され、第２の隔壁３３の除塵位置上流開口４１を経て第１の分離室１３に流れ込む。
【００５４】
第１の分離室１３に流れ込んだ空気は、第１の塵埃分離手段１９を経て第１の隔壁３２の除塵位置下流開口４２に至り、集塵室上流開口４７から集塵部１７に流れ込む。
【００５５】
このとき、除塵機構１６が動作し、除塵子４４がプリーツフィルタ部２４のプリーツの山部を連続的に叩く。そして、電気掃除機１を前回使用した際にプリーツフィルタ部２４が集塵した細塵Ｂは、除塵子４４がプリーツフィルタ部２４のプリーツの山部を叩く度に、プリーツフィルタ部２４から剥離する。
【００５６】
ここで、第１の塵埃分離手段１９を通過する空気は、先ずプリーツフィルタ部２４を通過し、その後分岐して一部分はバイパス管３０を通ってネットフィルタ部２２の下流へ流れ、他の部分はネットフィルタ部２２を通過してネットフィルタ部２２の下流へ流れる。
【００５７】
そうすると、プリーツフィルタ部２４から剥離した細塵Ｂは空気とともにバイパス管３０を通ってネットフィルタ部２２の下流へ流れる。他方、電気掃除機１を前回使用した際にネットフィルタ部２２に付着した粗塵Ａは、ネットフィルタ部２２を通過する空気によってネットフィルタ部２２から剥離して空気とともにネットフィルタ部２２の下流へ流れる。
【００５８】
したがって、第１の分離室１３に流れ込んだ空気は、電気掃除機１を前回使用した際に第１の塵埃分離手段１９に集塵された塵埃とともに集塵部１７に流れ込む。
【００５９】
集塵部１７に流れ込んだ含塵空気は、集塵フィルタ４８によって再度、空気と塵埃とに分離される。分離された空気は集塵フィルタ４８を通って集塵室下流開口４９から排気され、さらに本体排気口を通って掃除機本体２から排気される。他方、分離された塵埃は集塵部１７に蓄積される。
【００６０】
被清掃面の掃除が終わると、使用者は手元操作管４の切スイッチ４ｂを操作する。そうすると、電動送風機９は運転を停止する。
【００６１】
電動送風機９の運転が停止して電気掃除機１に負圧が作用しなくなると、切換機構１８は従動ギヤ部５０を介してクラスタ分離室１２の第１の分離室１３と第２の分離室１５との位置を変更する。具体的には集塵位置に配設される第２の分離室１５と、除塵位置に配設される第１の分離室１３との位置が切り換えられて、第１の分離室１３が集塵位置に配設され、第２の分離室１５が除塵位置に配設される。
【００６２】
なお、第１の分離室１３と第２の分離室１５との位置の切り換えは、電動送風機９の運転が停止して電気掃除機１に負圧が作用しなくなる、すなわち電気掃除機１の内部が正圧の状態であれば、電気掃除機１の運転開始前であっても停止後であってもよい。
【００６３】
掃除の終了後に、集塵部１７が蓄積した塵埃を捨てる際は、掃除機本体２から集塵部１７を取り外して集塵部１７の蓋体（図示省略）を開けて集塵部１７から塵埃を捨てる。
【００６４】
本実施形態に係る電気掃除機１によれば、含塵空気から塵埃を分離する塵埃分離手段が設けられた分離室を複数有するクラスタ分離室１２を備え、電動送風機９の上流、すなわち集塵位置と、電動送風機９の下流、すなわち除塵位置とに分離室を配設し、かつ集塵位置に位置する分離室と除塵位置に位置する分離室とを電気掃除機１の運転の度に相互に位置を変更することによって、電動送風機９の排気を利用して塵埃分離手段に付着した塵埃を取り除くことができる。
【００６５】
また、除塵位置に位置する分離室の塵埃分離手段には、電気掃除機１を運転中、常に電動送風機９の排気の流れが通るので、塵埃分離手段に付着した塵埃を十分に除去することができる。
【００６６】
さらに、除塵位置に位置する分離室の塵埃分離手段には、集塵された塵埃が付着している面の背面側から電動送風機９の排気の流れが通るので、塵埃分離手段に付着した塵埃を容易に除去することができる。
【００６７】
なお、本発明に係る電気掃除機は、キャニスタ型の電気掃除機１に限らず、アプライト型、スティック型、あるいはハンディ型などの電気掃除機であってもよい。
【図面の簡単な説明】
【００６８】
【図１】本発明に係る電気掃除機の外観を示した図。
【図２】本発明に係る電気掃除機の掃除機本体の概略的な断面図。
【図３】本発明に係る電気掃除機の掃除機本体の概略的な断面図。
【符号の説明】
【００６９】
１  電気掃除機
２  掃除機本体
２ａ  接続口
３  集塵ホース
４  手元操作管
４ａ  操作部
４ｂ  切スイッチ
４ｃ  起動スイッチ
５  延長管
６  吸込口体
９  電動送風機
１１  接続管部
１２  クラスタ分離室
１３  第１の分離室
１４  排気風路
１５  第２の分離室
１６  除塵機構
１７  集塵部
１８  切換機構
１９  第１の塵埃分離手段
２１  第２の塵埃分離手段
２２  ネットフィルタ部
２４  プリーツフィルタ部
２６、２７  開口
２８  第１の細塵風路部
２９  閉塞板
３０  バイパス管
３１  第２の細塵風路部
３２  第１の隔壁
３２ａ  区画壁
３２ｂ  区画壁
３３  第２の隔壁
３３ａ  区画壁
３３ｂ  区画壁
３５  集塵位置上流開口
３６  集塵位置下流開口
３７  吸込開口
３８  吸込管
３９  排気開口
４１  除塵位置上流開口
４２  除塵位置下流開口
４４  除塵子
４５  開口
４７  集塵室上流開口
４８  集塵フィルタ
４９  集塵室下流開口
５０  従動ギヤ部
５１  駆動ギヤ部
５２  動力伝達機構
５３  モータ部
【図１】
2009226132.tif 000003
【図２】
2009226132.tif 000004
【図３】
2009226132.tif 000005